(57)【要約】【課題】  医療従事者が呼び出しを認識している患者からの呼び出しの報知のみを停止できるようにする。【解決手段】  呼び出しが行われると、呼び出しを報知するとともに時間の計測を開始する。復旧操作部８が操作されると、タイマー部７が計測した時間を示す時間情報を取得し、取得した時間情報が所定時間以上であるナースコール子機１が存在しない場合に、報知および時間の計測を継続する。また、取得した時間情報が所定時間以上であるナースコール子機１が存在する場合に、取得した時間情報が所定時間以上ではない他のナースコール子機１が存在していれば、そのナースコール子機１に対応する報知および時間の計測を継続し、取得した時間情報が所定時間以上であるナースコール子機１に対応する報知および時間の計測を停止する。これにより、医療従事者が呼び出しの報知を認識するための時間を確保することができる。【選択図】        図１
2011005173.tif 000002
【特許請求の範囲】
【請求項１】
呼び出しを報知する報知部と、
時間を計測するタイマー部と、
前記報知部による報知を停止させるために操作される操作部と、
前記呼び出しが行われた場合に、前記報知部および前記タイマー部を動作させるとともに、前記報知部が動作している状態で、前記操作部が操作された場合に、前記タイマー部が計測した時間が所定時間以上であれば、前記報知部の動作を停止させる制御部と、
を備えたことを特徴とするナースコールシステム。
【請求項２】
前記制御部は、重複した呼び出しが行われた場合に、前記報知部および前記タイマー部を呼び出し毎に動作させるとともに、前記報知部が動作している状態で、前記操作部が操作された場合に、重複した呼び出しのうち、前記タイマー部が計測した時間が所定時間以上である呼び出しの前記報知部の動作を停止させることを特徴とする請求項１に記載のナースコールシステム。
【請求項３】
前記制御部は、優先順位の異なる重複した呼び出しが行われた場合に、前記報知部および前記タイマー部を呼び出し毎に動作させるとともに、前記報知部が動作している状態で、前記操作部が操作された場合に、重複した呼び出しのうち、前記タイマー部が計測した時間が所定時間以上である呼び出しを抽出し、そのうち最も優先順位の高い呼び出しの前記報知部の動作を停止させることを特徴とする請求項１に記載のナースコールシステム。
【発明の詳細な説明】
【技術分野】
【０００１】
本発明は、病院などで患者からの要求に応じて医師や看護師などの医療従事者を呼び出すナースコールシステムに関する。
【背景技術】
【０００２】
従来、病院などでは、ナースコールシステムが用いられている。ナースコールシステムは、病室内の患者の近辺（例えば、ベッド近傍など）に設置されたナースコール子機および医療従事者の居る部屋（例えば、スタッフルームなど）に設置されたナースコール親機を有線などにより接続して構成されている。また、ナースコール子機およびナースコール親機は、廊下灯や制御機などを介して接続されている。さらに、医療従事者が携行している複数の携帯通信端末（例えば、ＰＨＳ（Ｐｅｒｓｏｎａｌ  Ｈａｎｄｙｐｈｏｎｅ  Ｓｙｓｔｅｍ）やコードレス電話など）は、無線を介してナースコール親機に接続されている。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。
【０００３】
ここで、廊下灯は、病室の出入口付近の壁面に取り付けられている。また、廊下灯は、病室の番号や病室を使用している患者の氏名などを表示している。また、廊下灯は、ナースコール親機の動作と連動しており、病室に居る患者によりナースコール子機が操作されると、自装置に設けられた報知部を動作させて、表示ディスプレイなどに呼び出し表示を行わせたり、表示灯を点灯または点滅させたりして、呼び出しを報知している。医療従事者は、呼び出し表示を見たり、表示灯の点灯または点滅を見たりして、患者からの呼び出しを把握する。
【０００４】
このように、ナースコール親機や携帯通信端末、廊下灯による報知により、呼び出しを把握した医療従事者は、ナースコール親機に設けられた受話器や携帯通信端末により呼び出しに応答したり、廊下灯に設けられた復旧操作部にて復旧操作を行ったりして、報知を停止させている。ここで、復旧操作とは、ナースコール子機を呼び出し操作ができる状態に戻す操作や呼び出し表示を元の表示（例えば、待ち受けの表示など）に戻す操作を示す。
【０００５】
ところで、復旧操作が行われた場合に、廊下灯に設けた廊下灯情報表示部の画面を呼び出し状態から待ち受け状態に戻すナースコール装置が知られている（例えば、特許文献１など）。特許文献１に記載のナースコール装置では、ナースコール子機により呼び出し操作が行われた場合に、そのナースコール子機と接続されている廊下灯は、呼び出し操作が行われたナースコール子機を使用している患者の氏名を自装置の廊下灯情報表示部（例えば、液晶ディスプレイなど）に強調して表示させる。そして、その状態で廊下灯に設けた復旧ボタンにより復旧操作が行われた場合に、復旧操作が行われた廊下灯は、自装置が設置されている病室内に居る患者の氏名をベッドのレイアウト通りに自装置の廊下灯情報表示部に表示させるようにしている。これにより、呼び出し状態になると、医療従事者は、強調して表示された患者の氏名を目視することで、呼び出し操作を行った患者を確認することができる。また、医療従事者は、復旧操作を行うことで廊下灯情報表示部の表示を元の状態に戻すことができる。
【０００６】
しかしながら、特許文献１に記載のナースコール装置では、以下のような問題があった。すなわち、呼び出し操作が行われたナースコール子機に対して復旧操作を行った場合、復旧操作を行う直前に復旧操作の対象であるナースコール子機と同じ病室に設置されている他のナースコール子機により呼び出し操作が行われても、廊下灯の廊下灯情報表示部の表示が元の状態に戻ってしまう。そのため、復旧操作を行った医療従事者は、復旧操作の直前に行われた他のナースコール子機による呼び出しに対して目視が不完全となり、呼び出しを認識することができないことがあった。このことから、復旧操作を行った医療従事者が、呼び出しを認識している患者と同じ病室に居る他の患者からの呼び出しを見逃すケースが生じてしまうという問題があった。
【０００７】
一方、呼び出しが重複した場合に、予め設定しておいた優先順位に従って呼び出しを報知するナースコールシステムが知られている（例えば、特許文献２など）。特許文献２に記載のナースコールシステムでは、ベッド近傍に設置されたナースコール子機により呼び出し操作が行われ、ナースコール親機などがそのナースコール子機からの呼び出しを報知している際に、報知中の呼び出しよりも優先順位が高く設定されている呼び出し（例えば、病室のトイレに設置されたトイレ子機からの呼び出しなど）が行われると、ナースコール親機などは、後から行われた優先順位の高い呼び出しを優先して報知するようにしている。
【０００８】
しかしながら、特許文献２に記載のナースコールシステムでは、医療従事者が呼び出しに対して応答を行うための操作を行った時点で最も優先順位の高い呼び出しに対して応答が行われるため、操作の直前に優先順位の高い呼び出しが行われた場合、医療従事者が最初の呼び出しに対して応答するつもりでも、操作の直前に行われた優先順位の高い呼び出しに対して応答が行われてしまった。そのため、応答を行うための操作を行った医療従事者が呼び出しを認識していない他の患者に対して応答するケースが生じてしまうという問題があった。
【先行技術文献】
【特許文献】
【０００９】
【特許文献１】特開２００４−１０４６９１号公報
【特許文献２】特開２００５−１０２９４１号公報
【発明の概要】
【発明が解決しようとする課題】
【００１０】
本発明は、このような問題を解決するために成されたものであり、医療従事者が呼び出しを認識している患者からの呼び出しの報知のみを停止できるようにすることを目的とする。
【課題を解決するための手段】
【００１１】
上述した課題を解決するために、本発明のナースコールシステムでは、重複した呼び出しが行われた場合に、呼び出しを報知するとともに時間の計測をそれぞれ開始する。そして、報知を停止させるための操作が行われた場合に、重複した呼び出しのうち、計測した時間が所定時間以上である呼び出しの報知を停止するようにしている。
【００１２】
また、本発明の他の態様によれば、優先順位の異なる重複した呼び出しが行われた場合に、呼び出しを報知するとともに時間の計測をそれぞれ開始する。そして、報知を停止させるための操作が行われた場合に、重複した呼び出しのうち、計測した時間が所定時間以上である呼び出しを抽出し、そのうち最も優先順位の高い呼び出しの報知を停止するようにしている。
【発明の効果】
【００１３】
上記のように構成した本発明によれば、報知を停止させるための操作が行われた場合には、重複した呼び出しのうち、報知を開始してから所定時間が経過した呼び出しの報知のみが停止される。一方、重複した呼び出しのうち、報知を開始してから所定時間が経過していない呼び出しの報知は停止されない。これにより、呼び出しが重複している場合に、重複した呼び出しの報知を停止させるための操作が行われたときに、医療従事者が呼び出しの報知を認識するための時間を確保することができ、医療従事者は、呼び出しを認識している患者からの呼び出しの報知のみを停止することができる。
【００１４】
また、本発明の他の形態によれば、報知を停止させるための操作が行われた場合には、重複した呼び出しのうち、報知を開始してから所定時間が経過している呼び出しが抽出され、そのうち最も優先順位の高い呼び出しの報知のみが停止される。一方、重複した呼び出しのうち、報知を開始してから所定時間が経過していない呼び出しの報知や優先順位の低い呼び出しの報知は停止されない。これにより、呼び出しが重複している場合に、重複した呼び出しの報知を停止させるための操作が行われたときに、医療従事者が呼び出しの報知を認識するための時間を確保することができ、医療従事者は、呼び出しを認識している患者からの呼び出しの報知のみを停止することができる。
【図面の簡単な説明】
【００１５】
【図１】本実施形態によるナースコールシステムの構成例を示すブロック図である。
【図２】本実施形態によるナースコールシステムの廊下灯の動作を示すフローチャートである。
【図３】本実施形態によるナースコールシステムの変形例を示すブロック図である。
【図４】本実施形態によるナースコールシステムの変形例におけるナースコール親機の動作を示すフローチャートである。
【発明を実施するための形態】
【００１６】
以下、本発明の一実施形態を図面に基づいて説明する。本実施形態によるナースコールシステムの構成例を示すブロック図を図１に示す。同図に示すように、本実施形態によるナースコールシステムは、ナースコール子機１、ナースコール親機２、廊下灯３を備えて構成されている。ここで、ナースコール親機２には、複数のナースコール子機１が接続されている（例えば、第一のナースコール子機１ａ、第二のナースコール子機１ｂ、・・・など）。
【００１７】
また、廊下灯３は、制御部４、インターフェース（以下、Ｉ／Ｆとする）部５、報知部６、タイマー部７、復旧操作部（特許請求の範囲の操作部に該当する）８を備えて構成されている。
【００１８】
図１において、ナースコール子機１は、病室内の各患者の近辺（例えば、ベッド近傍など）にそれぞれ設置されており、患者が呼出ボタンなどの呼出操作部（図示せず）を操作することにより、医療従事者に対して呼び出しを行うための呼出信号を出力する。ここで、呼出信号は、自装置を識別するための子機識別情報（例えば、子機番号など）を含む。また、ナースコール子機１に通話機能が搭載されている場合には、ナースコール子機１とナースコール親機２との間で通話を行うことができる。これにより、患者は、呼び出しに応答した医療従事者と会話することができる。ここで、本実施形態のナースコール子機１としては周知の技術を使用するため、ナースコール子機１の具体的な構成および処理の説明は省略する。また、ナースコール子機１は、ナースコール親機２に廊下灯３を介して接続されている。
【００１９】
ナースコール親機２は、医療従事者の居る部屋（例えば、スタッフルームなど）に設置されており、患者からの呼び出しを医療従事者に報知したり、医療従事者が患者からの呼び出しに対して応答したりするためのものである。また、ナースコール子機１から出力された呼出信号を入力すると、ナースコール親機２は、親機用報知部（図示せず）にて患者からの呼び出しを医療従事者に報知する。ここで、ナースコール親機２とナースコール子機１との間には、制御機（図示せず）および複数の廊下灯３が設置されている。制御機は、ナースコール子機１とナースコール親機２との間の通話やデータの送受信に関する制御を行う。ここで、本実施形態のナースコール親機２としては周知の技術を使用するため、ナースコール親機２の具体的な構成および処理の説明は省略する。
【００２０】
廊下灯３は、病室の出入口付近の壁面に取り付けられており、病室の番号や病室を使用している患者の氏名などを表示したり、患者からの呼び出しを医療従事者に報知したり、医療従事者が患者からの呼び出しに対して復旧操作を行ったりするためのものである。ここで、廊下灯３には、同一の病室に設置されている複数のナースコール子機１として、第一のナースコール子機１ａ、第二のナースコール子機１ｂが接続されている。なお、本実施形態では、第一のナースコール子機１ａ、第二のナースコール子機１ｂが廊下灯３に接続されているが、これに限定されない。例えば、１つのナースコール子機１が廊下灯３に接続されていても良いし、３つ以上のナースコール子機１が廊下灯３に接続されていても良い。
【００２１】
制御部４は、廊下灯３の各構成要素を後述するように制御する。Ｉ／Ｆ部５は、廊下灯３が第一のナースコール子機１ａおよび第二のナースコール子機１ｂとの間で通信するためにそれぞれの子機用インターフェース部（図示せず）に接続されている。また、Ｉ／Ｆ部５は、廊下灯３がナースコール親機２との間で通信するために親機用インターフェース部（図示せず）に接続されている。ここで、Ｉ／Ｆ部５は、第一のナースコール子機１ａや第二のナースコール子機１ｂから出力された呼出信号を入力する。また、Ｉ／Ｆ部５は、ナースコール親機２へ呼出信号を出力する。また、Ｉ／Ｆ部５は、第一のナースコール子機１ａや第二のナースコール子機１ｂ、ナースコール親機２へ復旧信号を出力する。また、復旧信号とは、呼び出し操作が行われた第一のナースコール子機１ａや第二のナースコール子機１ｂを呼び出し操作ができる状態に戻したり、報知が行われたナースコール親機２を元の状態に戻したりするための信号を示す。
【００２２】
報知部６は、表示ディスプレイや表示灯などにより構成されており、患者が呼び出しを行ったことを報知するためのものである。表示ディスプレイにより構成されている報知部６は、第一のナースコール子機１ａや第二のナースコール子機１ｂにより呼び出し操作が行われた場合に、呼び出し操作を行った患者の氏名を表示ディスプレイに強調して表示する。また、廊下灯３が報知を行っていない状態である場合に、制御部４は、自装置が設置されている病室内に居る患者の氏名をベッドのレイアウト通りに表示ディスプレイに表示させている。ここで、廊下灯３は、自装置が設置されている病室内に居る患者の氏名を示す患者情報をナースコール親機２から定期的に入力する。また、表示灯により構成されている報知部６は、第一のナースコール子機１ａや第二のナースコール子機１ｂにより呼び出し操作が行われた場合に、呼び出し操作を行った患者の氏名が表示された付近に設けられている表示灯を点灯または点滅させる。また、廊下灯３が報知を行っていない状態である場合に、制御部４は表示灯を消灯させている。医療従事者は、表示ディスプレイによる表示や表示灯による点灯または点滅を確認することで、呼び出しを認識することができる。
【００２３】
タイマー部７は時間を計測するためのものである。ここで、タイマー部７は、呼び出し操作が行われた第一のナースコール子機１ａや第二のナースコール子機１ｂ毎に時間を計測する。制御部４は、Ｉ／Ｆ部５が第一のナースコール子機１ａや第二のナースコール子機１ｂから出力された呼出信号を入力したか否かを判定する。Ｉ／Ｆ部５が呼出信号を入力したと制御部４にて判断した場合に、制御部４は報知部６を動作させて報知を行う。例えば、報知部６を表示ディスプレイで構成した場合、制御部４は、呼び出し操作を行った患者の氏名を表示ディスプレイに強調して表示する。それに併せて、制御部４はタイマー部７を動作させて時間の計測を開始する。
【００２４】
復旧操作部８は、ボタンなどにより構成されており、報知部６による報知を停止させて、ナースコール子機１の状態や報知部６を元の状態に戻すためのものである。制御部４は、報知部６が動作している状態で復旧操作部８が操作されたか否か（換言すると、復旧操作が行われた否か）を判定する。復旧操作部８が操作された（換言すると、復旧操作が行われた）と制御部４にて判断した場合に、制御部４は、タイマー部７が計測した時間を示す時間情報（換言すると、ナースコール子機１により呼び出し操作が行われた時点から計測した時間を示す時間情報）を取得する。そして、制御部４は、計測した時間が所定時間以上であるナースコール子機１が存在するか否かを判定する。ここで、所定時間とは、医療従事者が呼び出し操作を行った患者を認識することができる時間（例えば、２秒など）を示す。また、所定時間を示す所定時間情報は、図示しないメモリなどに記憶されており、上述した時間情報と比較する際には、制御部４により読み出されて使用される。
【００２５】
計測した時間が所定時間以上であるナースコール子機１が存在しない場合に、制御部４は、報知部６およびタイマー部７の動作を継続させる。一方、計測した時間が所定時間以上であるナースコール子機１が存在する場合に、制御部４は、計測した時間が所定時間以上ではない他のナースコール子機１が存在するか否かを判定する。そして、計測した時間が所定時間以上ではない他のナースコール子機１が存在しない場合には、制御部４は、報知部６およびタイマー部７の動作を停止させる。一方、計測した時間が所定時間以上ではない他のナースコール子機１が存在する場合には、制御部４は、そのナースコール子機１に対応する報知部６およびタイマー部７の動作を継続させる。また、制御部４は、計測した時間が所定時間以上であるナースコール子機１に対応する報知部６およびタイマー部７の動作を停止させる。また、制御部４が報知部６およびタイマー部７の動作を停止させると、制御部４は、対応するナースコール子機１およびナースコール親機２に対して復旧信号を生成し、Ｉ／Ｆ部５は、対応するナースコール子機１およびナースコール親機２に対して制御部４にて生成した復旧信号を出力する。
【００２６】
ここで、第一のナースコール子機１ａにより呼び出し操作が行われた時点から５秒経過した時点で第二のナースコール子機１ｂにより呼び出し操作が行われたとし、所定時間を１０秒とする例を用いて、復旧操作部８が操作された際の処理を説明する。
【００２７】
まず、第一のナースコール子機１ａにより呼び出し操作が行われると、制御部４は報知部６を動作させて報知を行う。それに併せて、制御部４はタイマー部７を動作させて時間の計測を開始する。そして、報知部６による報知が行われてから５秒経過する前に復旧操作部８が操作されると、第一のナースコール子機１ａに対応するタイマー部７で計測された時間が１０秒未満となり、第二のナースコール子機１ｂにより呼び出し操作が行われていないので、対応するタイマー部７による時間の計測が行われていない状態となる。この場合、計測した時間が所定時間以上（１０秒以上）であるナースコール子機１が存在しないと制御部４にて判断されるので、制御部４は、報知部６およびタイマー部７の動作を継続させる。
【００２８】
また、報知部６による報知が行われてから１２秒経過した時点で復旧操作部８が操作されると、第一のナースコール子機１ａに対応するタイマー部７で計測された時間（１２秒）が１０秒以上となり、第二のナースコール子機１ｂに対応するタイマー部７で計測された時間（７秒）が１０秒未満となる。この場合、計測した時間が所定時間以上（１０秒以上）である第一のナースコール子機１ａが存在し、計測した時間が所定時間以上（１０秒以上）ではない第二のナースコール子機１ｂが存在すると制御部４にて判断されるので、制御部４は、第二のナースコール子機１ｂに対応する報知部６およびタイマー部７の動作を継続させる。また、制御部４は、計測した時間が所定時間以上である第一のナースコール子機１ａに対応する報知部６およびタイマー部７の動作を停止させる。また、制御部４は、第一のナースコール子機１ａに対して復旧信号を生成し、Ｉ／Ｆ部５は、第一のナースコール子機１ａに対して制御部４にて生成した復旧信号を出力する。
【００２９】
また、報知部６による報知が行われてから１８秒経過した時点で復旧操作部８が操作されると、第一のナースコール子機１ａに対応するタイマー部７で計測された時間（１８秒）が１０秒以上となり、第二のナースコール子機１ｂに対応するタイマー部７で計測された時間（１３秒）も１０秒以上となる。この場合、計測した時間が所定時間以上（１０秒以上）である第一のナースコール子機１ａおよび第二のナースコール子機１ｂが存在し、計測した時間が所定時間以上ではない他のナースコール子機１が存在しないと制御部４にて判断されるので、制御部４は、計測した時間が所定時間以上である第一のナースコール子機１ａに対応する報知部６およびタイマー部７の動作を停止させるとともに、計測した時間が所定時間以上である第二のナースコール子機１ｂに対応する報知部６およびタイマー部７の動作を停止させる。また、制御部４は、第一のナースコール子機１ａおよび第二のナースコール子機１ｂに対して復旧信号を生成し、Ｉ／Ｆ部５は、第一のナースコール子機１ａおよび第二のナースコール子機１ｂに対して制御部４にて生成した復旧信号を出力する。
【００３０】
次に、本実施形態によるナースコールシステムの廊下灯３の動作を説明する。図２は、本実施形態によるナースコールシステムの廊下灯３の動作を示すフローチャートである。まず、制御部４は、Ｉ／Ｆ部５がナースコール子機１から出力された呼出信号を入力したか否かを判定する（ステップＳ１）。Ｉ／Ｆ部５が呼出信号を入力していないと制御部４にて判断した場合には（ステップＳ１にてＮＯ）、ステップＳ１の処理に戻る。一方、Ｉ／Ｆ部５が呼出信号を入力したと制御部４にて判断した場合には（ステップＳ１にてＹＥＳ）、制御部４は報知部６およびタイマー部７を動作させ、報知部６は呼び出しを報知するとともに、タイマー部７は時間の計測を開始する（ステップＳ２）。
【００３１】
次に、制御部４は、復旧操作部８が操作されたか否かを判定する（ステップＳ３）。復旧操作部８が操作されていないと制御部４にて判断した場合には（ステップＳ３にてＮＯ）、制御部４は、Ｉ／Ｆ部５が他のナースコール子機１から出力された呼出信号を入力したか否かを判定する（ステップＳ４）。Ｉ／Ｆ部５が他のナースコール子機１から出力された呼出信号を入力していないと制御部４にて判断した場合には（ステップＳ４にてＮＯ）、ステップＳ３の処理に戻る。一方、Ｉ／Ｆ部５が他のナースコール子機１から出力された呼出信号を入力したと制御部４にて判断した場合には（ステップＳ４にてＹＥＳ）、制御部４は、他のナースコール子機１に対応する報知部６およびタイマー部７を動作させ、報知部６は呼び出しを報知するとともに、タイマー部７は時間の計測を開始し（ステップＳ５）、ステップＳ３の処理に戻る。
【００３２】
また、復旧操作部８が操作されたと制御部４にて判断した場合には（ステップＳ３にてＹＥＳ）、制御部４は、タイマー部７が計測した時間を示す時間情報を取得する（ステップＳ６）。時間情報を取得すると、制御部４は、取得した時間情報が所定時間以上であるナースコール子機１が存在するか否かを判定する（ステップＳ７）。取得した時間情報が所定時間以上であるナースコール子機１が存在しないと制御部４にて判断した場合には（ステップＳ７にてＮＯ）、ステップＳ３の処理に戻る。一方、取得した時間情報が所定時間以上であるナースコール子機１が存在すると制御部４にて判断した場合には（ステップＳ７にてＹＥＳ）、制御部４は、取得した時間情報が所定時間以上ではないナースコール子機１が存在していれば、そのナースコール子機１に対応する報知部６およびタイマー部７の動作を継続させて、報知および時間の計測を継続する。また、制御部４は、取得した時間情報が所定時間以上であるナースコール子機１に対応する報知部６およびタイマー部７の動作を停止させて、報知および時間の計測を停止する（ステップＳ８）。
【００３３】
そして、制御部４は、報知および時間の計測が継続されているか否かを判定する（ステップＳ９）。報知および時間の計測が継続されていると制御部４にて判断した場合には（ステップＳ９にてＹＥＳ）、ステップＳ３の処理に戻る。一方、報知および時間の計測が継続されていないと制御部４にて判断した場合には（ステップＳ９にてＮＯ）、ステップＳ１の処理に戻る。
【００３４】
以上、詳しく説明したように、本実施形態のナースコールシステムでは、ナースコール子機１にて呼び出しが行われた場合に、制御部４は、報知部６を動作させて呼び出しを報知するとともに、タイマー部７を動作させて時間の計測を開始する。そして、復旧操作部８が操作されたと制御部４にて判断した場合に、タイマー部７が計測した時間が所定時間以上のナースコール子機１が存在するか否かを判定する。計測した時間が所定時間以上であるナースコール子機１が存在する場合に、制御部４は、計測した時間が所定時間以上ではない他のナースコール子機１が存在していれば、そのナースコール子機１に対応する報知部６およびタイマー部７の動作を継続させ、計測した時間が所定時間以上であるナースコール子機１に対応する報知部６の動作およびタイマー部７の動作を停止させるようにしている。これにより、複数のナースコール子機１の報知を停止するために操作される復旧操作部８が操作された場合に、複数のナースコール子機１の報知が重複しているとき、報知から所定時間が経過したナースコール子機１に対応する報知部６の動作のみが停止し、報知から所定時間が経過していないナースコール子機１に対応する報知部６の動作は継続する。従って、医療従事者が呼び出しの報知を認識するための時間を確保することができ、医療従事者は、呼び出しを認識している患者からの呼び出しの報知のみを停止することができる。
【００３５】
なお、前述した実施形態では、ナースコール子機１は、患者による操作によって呼出信号を出力する周知のナースコール子機を使用しているが、これに限定されない。例えば、患者による操作ではなく、患者の状態を検出した場合に呼出信号を出力する赤外線センサなどの各種センサを搭載したナースコール子機を使用するようにしても良い。
【００３６】
また、前述した実施形態では、報知部６、タイマー部７、復旧操作部８は、廊下灯３に設けられているが、これに限定されない。例えば、報知部６、タイマー部７、復旧操作部８をナースコール親機２などに設けるようにしても良い。
【００３７】
また、前述した実施形態では、重複した呼び出しが行われた場合に、呼び出しに対して報知を停止させるか否かを判定する処理を実行しているが、これに限定されない。例えば、優先順位の異なる重複した呼び出しが行われた場合に、呼び出しに対して報知を停止させるか否かを判定する処理を実行するようにしても良い。
【００３８】
具体的には、図３に示すようなナースコールシステムを用いて実現する。同図に示すように、本変形例は、ナースコール子機１、ナースコール親機２’を備えて構成されている。ここで、ナースコール親機２’には、複数のナースコール子機１が接続されている（例えば、第一のナースコール子機１ａ、第二のナースコール子機１ｂ、・・・など）。また、ナースコール親機２’は、親機用制御部２１、親機用インターフェース（以下、Ｉ／Ｆとする）部２２、親機用報知部２３、タイマー部２４、応答操作部（特許請求の範囲の操作部に該当する）２５を備えて構成される。また、第一のナースコール子機１ａ、第二のナースコール子機１ｂの動作については、前述の実施形態と同様の動作であるため、説明を省略する。また、タイマー部２４の動作については、前述の実施形態に記載のタイマー部７と同様の動作であるため、説明を省略する。
【００３９】
ここで、複数のナースコール子機１には、呼び出しの優先順位が設定されており、第一のナースコール子機１ａと第二のナースコール子機１ｂとの異なる優先順位が設定されている。また、呼び出しの優先順位は、患者毎に設定されたり、ナースコール子機１の種類（例えば、病室のベッド近傍に設置されているナースコール子機１やトイレなどに設置されているナースコール子機１、医療従事者がスタッフ呼び出しを行うためのナースコール子機１など）毎に設定されたりしている。
【００４０】
ナースコール親機２’は、医療従事者の居る部屋（例えば、スタッフルームなど）に設置されており、患者からの呼び出しを医療従事者に報知したり、医療従事者が患者からの呼び出しに対して応答したりするためのものである。また、ナースコール子機１から出力された呼出信号を入力すると、ナースコール親機２’は、親機用報知部２３にて患者からの呼び出しを医療従事者に報知する。ここで、呼出信号は、ナースコール子機１を識別するための子機識別情報を含む。
【００４１】
ここで、ナースコール親機２’と第一のナースコール子機１ａおよび第二のナースコール子機１ｂとの間には、制御機および複数の廊下灯（ともに図示せず）が設置されている。制御機は、第一のナースコール子機１ａとナースコール親機２’との間の通話やデータの送受信および第二のナースコール子機１ｂとナースコール親機２’との間の通話やデータの送受信に関する制御を行う。また、廊下灯は、自装置に設けた表示灯を点灯または点滅させ、第一のナースコール子機１ａや第二のナースコール子機１ｂによる呼び出しを報知する。なお、本変形例では、第一のナースコール子機１ａ、第二のナースコール子機１ｂがナースコール親機２’に接続されているが、これに限定されない。例えば、１つのナースコール子機１がナースコール親機２’に接続されていても良いし、３つ以上のナースコール子機１がナースコール親機２’に接続されていても良い。
【００４２】
親機用制御部２１は、ナースコール親機２’の各構成要素を後述するように制御する。親機用Ｉ／Ｆ部２２は、ナースコール親機２’が第一のナースコール子機１ａおよび第二のナースコール子機１ｂとの間で通信するためにそれぞれの子機用インターフェース部に接続されている。ここで、親機用Ｉ／Ｆ部２２は、第一のナースコール子機１ａや第二のナースコール子機１ｂから出力された呼出信号を入力する。また、親機用Ｉ／Ｆ部２２は、第一のナースコール子機１ａや第二のナースコール子機１ｂ、廊下灯へ復旧信号を出力する。
【００４３】
親機用報知部２３は、スピーカや表示ディスプレイ、表示灯などにより構成されており、患者が呼び出しを行ったことを報知するためのものである。スピーカにより構成されている親機用報知部２３は、第一のナースコール子機１ａや第二のナースコール子機１ｂにより呼び出し操作が行われた場合に、スピーカから呼び出し音や音声を出力する。また、ナースコール親機２’が報知を行っていない状態である場合に、親機用制御部２１は、スピーカから呼び出し音や音声を出力しない。表示ディスプレイにより構成されている親機用報知部２３は、第一のナースコール子機１ａや第二のナースコール子機１ｂにより呼び出し操作が行われた場合に、呼び出し操作を行った患者の氏名を表示ディスプレイに強調して表示する。また、ナースコール親機２’が報知を行っていない状態である場合に、親機用制御部２１は、病室内に居る患者の氏名をベッドのレイアウト通りに表示ディスプレイに表示させている。また、表示灯により構成されている親機用報知部２３は、第一のナースコール子機１ａや第二のナースコール子機１ｂにより呼び出し操作が行われた場合に、呼び出し操作を行った患者の氏名が表示された付近に設けられている表示灯を点灯または点滅させる。また、ナースコール親機２’が報知を行っていない状態である場合に、親機用制御部２１は表示灯を消灯させている。医療従事者は、スピーカによる音の出力や表示ディスプレイによる表示、表示灯による点灯または点滅を確認することで、呼び出しを認識することができる。
【００４４】
親機用制御部２１は、親機用Ｉ／Ｆ部２２が第一のナースコール子機１ａや第二のナースコール子機１ｂから出力された呼出信号を入力したか否かを判定する。親機用Ｉ／Ｆ部２２が呼出信号を入力したと親機用制御部２１にて判断した場合に、親機用制御部２１は親機用報知部２３を動作させて報知を行う。それに併せて、親機用制御部２１はタイマー部２４を動作させて時間の計測を開始する。ここで、報知を開始する時点で他の呼び出しを報知していれば、親機用報知部２３は、報知を開始する呼び出しと報知中の呼び出しとのうち、最も優先順位の高い呼び出しを優先させて呼び出しを報知する。
【００４５】
応答操作部２５は、ハンドセットやボタンなどにより構成されており、医療従事者が呼び出しの報知に応答するためのものである。また、応答操作部２５は、親機用報知部２３による報知を停止させて、ナースコール子機１の状態や親機用報知部２３を元の状態に戻す。また、ナースコール子機１に通話機能が搭載されている場合には、ナースコール子機１とナースコール親機２’との間で通話路が形成される。
【００４６】
親機用制御部２１は、親機用報知部２３が動作している状態で応答操作部２５が操作されたか否か（換言すると、応答操作が行われたか否か）を判定する。応答操作部２５が操作された（換言すると、応答操作が行われた）と親機用制御部２１にて判断した場合に、親機用制御部２１は、タイマー部２４が計測した時間を示す時間情報（換言すると、ナースコール子機１により呼び出し操作が行われた時点から計測した時間を示す時間情報）を取得する。そして、親機用制御部２１は、計測した時間が所定時間以上であるナースコール子機１が存在するか否かを判定する。
【００４７】
計測した時間が所定時間以上であるナースコール子機１が存在しない場合に、親機用制御部２１は、親機用報知部２３およびタイマー部２４の動作を継続させる。一方、計測した時間が所定時間以上であるナースコール子機１が存在する場合に、親機用制御部２１は、計測した時間が所定時間以上ではない他のナースコール子機１が存在するか否かを判定する。計測した時間が所定時間以上ではない他のナースコール子機１が存在する場合には、親機用制御部２１は、そのナースコール子機１に対応する親機用報知部２３およびタイマー部２４の動作を継続させる。また、親機用制御部２１は、計測した時間が所定時間以上であるナースコール子機１が複数存在するか否かを判定する。
【００４８】
計測した時間が所定時間以上であるナースコール子機１が複数存在しない場合には、親機用制御部２１は、親機用報知部２３およびタイマー部２４の動作を停止させる。一方、計測した時間が所定時間以上であるナースコール子機１が複数存在すると判断した場合には、親機用制御部２１は、計測した時間が所定時間以上であるナースコール子機１のうち最も優先順位の高いナースコール子機１以外の優先順位の低いナースコール子機１に対応する親機用報知部２３およびタイマー部２４の動作を継続させる。また、親機用制御部２１は、計測した時間が所定時間以上であるナースコール子機１のうち最も優先順位の高いナースコール子機１に対応する親機用報知部２３およびタイマー部２４の動作を停止させる。
【００４９】
また、親機用制御部２１が親機用報知部２３およびタイマー部２４の動作を停止させると、親機用制御部２１は、対応するナースコール子機１および廊下灯に対して復旧信号を生成し、親機用Ｉ／Ｆ部２２は、対応するナースコール子機１および廊下灯に対して親機用制御部２１にて生成した復旧信号を出力する。
【００５０】
ここで、第一のナースコール子機１ａにより呼び出し操作が行われた時点から５秒経過した時点で第二のナースコール子機１ｂにより呼び出し操作が行われたとし、所定時間を１０秒とする例を用いて、応答操作部２５が操作された際の処理を説明する。また、この例では、第二のナースコール子機１ｂによる呼び出しが第一のナースコール子機１ａによる呼び出しよりも優先順位の高い呼び出しであるとしている。
【００５１】
まず、第一のナースコール子機１ａにより呼び出し操作が行われると、親機用制御部２１は親機用報知部２３を動作させて報知を行う。それに併せて、親機用制御部２１はタイマー部２４を動作させて時間の計測を開始する。そして、親機用報知部２３による報知が行われてから５秒経過する前に応答操作部２５が操作されると、第一のナースコール子機１ａに対応するタイマー部２４で計測された時間が１０秒未満となり、第二のナースコール子機１ｂにより呼び出し操作が行われていないので、対応するタイマー部２４による時間の計測が行われていない状態となる。この場合、計測した時間が所定時間以上（１０秒以上）であるナースコール子機１が存在しないと親機用制御部２１にて判断されるので、親機用制御部２１は、親機用報知部２３およびタイマー部２４の動作を継続させる。
【００５２】
また、親機用報知部２３による報知が行われてから１２秒経過した時点で応答操作部２５が操作されると、第一のナースコール子機１ａに対応するタイマー部２４で計測された時間（１２秒）が１０秒以上となり、第二のナースコール子機１ｂに対応するタイマー部２４で計測された時間（７秒）が１０秒未満となる。この場合、計測した時間が所定時間以上（１０秒以上）である第一のナースコール子機１ａが存在し、計測した時間が所定時間以上（１０秒以上）ではない第二のナースコール子機１ｂが存在すると親機用制御部２１にて判断されるので、親機用制御部２１は、第二のナースコール子機１ｂに対応する親機用報知部２３およびタイマー部２４の動作を継続させる。
【００５３】
また、計測した時間が所定時間以上であるナースコール子機１が複数存在しないと親機用制御部２１にて判断されるので、親機用制御部２１は、計測した時間が所定時間以上である第一のナースコール子機１ａに対応する親機用報知部２３およびタイマー部２４の動作を停止させる。また、親機用制御部２１は、第一のナースコール子機１ａに対して復旧信号を生成し、親機用Ｉ／Ｆ部２２は、第一のナースコール子機１ａに対して親機用制御部２１にて生成した復旧信号を出力する。
【００５４】
また、親機用報知部２３による報知が行われてから１８秒経過した時点で応答操作部２５が操作されると、第一のナースコール子機１ａに対応するタイマー部２４で計測された時間（１８秒）が１０秒以上となり、第二のナースコール子機１ｂに対応するタイマー部２４で計測された時間（１３秒）が１０秒以上となる。この場合、計測した時間が所定時間以上（１０秒以上）である第一のナースコール子機１ａおよび第二のナースコール子機１ｂが存在し、計測した時間が所定時間以上ではない他のナースコール子機１が存在しないと親機用制御部２１にて判断される。
【００５５】
一方、計測した時間が所定時間以上である第一のナースコール子機１ａおよび第二のナースコール子機１ｂが複数存在したと親機用制御部２１にて判断されるので、親機用制御部２１は、優先順位の高くない第一のナースコール子機１ａに対応する親機用報知部２３およびタイマー部２４の動作を継続させる。また、親機用制御部２１は、優先順位の高い第二のナースコール子機１ｂに対応する親機用報知部２３およびタイマー部２４の動作を停止させる。また、親機用制御部２１は、第二のナースコール子機１ｂに対して復旧信号を生成し、親機用Ｉ／Ｆ部２２は、第二のナースコール子機１ｂに対して親機用制御部２１にて生成した復旧信号を出力する。
【００５６】
次に、本変形例によるナースコールシステムのナースコール親機２’の動作を説明する。図４は、本変形例によるナースコールシステムのナースコール親機２’の動作を示すフローチャートである。まず、親機用制御部２１は、親機用Ｉ／Ｆ部２２がナースコール子機１から出力された呼出信号を入力したか否かを判定する（ステップＳ１１）。親機用Ｉ／Ｆ部２２が呼出信号を入力していない場合には（ステップＳ１１にてＮＯ）、ステップＳ１１の処理に戻る。一方、親機用Ｉ／Ｆ部２２が呼出信号を入力したと親機用制御部２１にて判断した場合には（ステップＳ１１にてＹＥＳ）、親機用制御部２１は親機用報知部２３およびタイマー部２４を動作させ、親機用報知部２３は呼び出しを報知するとともに、タイマー部２４は時間の計測を開始する（ステップＳ１２）。
【００５７】
次に、親機用制御部２１は、応答操作部２５が操作されたか否かを判定する（ステップＳ１３）。応答操作部２５が操作されていないと親機用制御部２１にて判断した場合には（ステップＳ１３にてＮＯ）、親機用制御部２１は、親機用Ｉ／Ｆ部２２が他のナースコール子機１から出力された呼出信号を入力したか否かを判定する（ステップＳ１４）。親機用Ｉ／Ｆ部２２が他のナースコール子機１から出力された呼出信号を入力していない場合には（ステップＳ１４にてＮＯ）、ステップＳ１３の処理に戻る。一方、親機用Ｉ／Ｆ部２２が他のナースコール子機１から出力された呼出信号を入力したと親機用制御部２１にて判断した場合には（ステップＳ１４にてＹＥＳ）、親機用制御部２１は、他のナースコール子機１に対応する親機用報知部２３およびタイマー部２４を動作させ、親機用報知部２３は呼び出しを報知するとともに、タイマー部２４は時間の計測を開始し（ステップＳ１５）、ステップＳ１３の処理に戻る。
【００５８】
また、応答操作部２５が操作されたと親機用制御部２１にて判断した場合には（ステップＳ１３にてＹＥＳ）、親機用制御部２１は、タイマー部２４が計測した時間を示す時間情報を取得する（ステップＳ１６）。時間情報を取得すると、親機用制御部２１は、取得した時間情報が所定時間以上であるナースコール子機１が存在するか否かを判定する（ステップＳ１７）。取得した時間情報が所定時間以上であるナースコール子機１が存在しないと親機用制御部２１にて判断した場合には（ステップＳ１７にてＮＯ）、ステップＳ１３の処理に戻る。
【００５９】
一方、取得した時間情報が所定時間以上であるナースコール子機１が存在すると親機用制御部２１にて判断した場合には（ステップＳ１７にてＹＥＳ）、親機用制御部２１は、取得した時間情報が所定時間以上であるナースコール子機１が複数存在するか否かを判定する（ステップＳ１８）。取得した時間情報が所定時間以上であるナースコール子機１が複数存在しないと親機用制御部２１にて判断した場合には（ステップＳ１８にてＮＯ）、親機用制御部２１は、取得した時間情報が所定時間以上ではないナースコール子機１が存在していれば、そのナースコール子機１に対応する親機用報知部２３およびタイマー部２４の動作を継続させて、報知および時間の計測を継続する。また、親機用制御部２１は、取得した時間情報が所定時間以上であるナースコール子機１に対応する親機用報知部２３およびタイマー部２４の動作を停止させて、報知および時間の計測を停止する（ステップＳ１９）。
【００６０】
一方、取得した時間情報が所定時間以上であるナースコール子機１が複数存在すると親機用制御部２１にて判断した場合には（ステップＳ１８にてＹＥＳ）、親機用制御部２１は、取得した時間情報が所定時間以上ではないナースコール子機１が存在していれば、そのナースコール子機１に対応する親機用報知部２３およびタイマー部２４の動作を継続させて、報知および時間の計測を継続する。また、親機用制御部２１は、取得した時間情報が所定時間以上であるナースコール子機１のうち優先順位の低いナースコール子機１に対応する親機用報知部２３およびタイマー部２４の動作を継続させて、報知および時間の計測を継続する。また、親機用制御部２１は、取得した時間情報が所定時間以上であるナースコール子機１のうち最も優先順位の高いナースコール子機１に対応する親機用報知部２３およびタイマー部２４の動作を停止させて、報知および時間の計測を停止する（ステップＳ２０）。
【００６１】
そして、親機用制御部２１は、報知および時間の計測が継続されているか否かを判定する（ステップＳ２１）。報知および時間の計測が継続されていると親機用制御部２１にて判断した場合には（ステップＳ２１にてＹＥＳ）、ステップＳ１３の処理に戻る。一方、報知および時間の計測が継続されていないと親機用制御部２１にて判断した場合には（ステップＳ２１にてＮＯ）、ステップＳ１１の処理に戻る。
【００６２】
これにより、複数のナースコール子機１の報知の何れかに応答するために操作される応答操作部２５が操作された場合に、複数のナースコール子機１の報知が重複しているとき、報知から所定時間が経過したナースコール子機１のうち最も優先順位の高いナースコール子機１に対応する親機用報知部２３の動作のみが停止し、報知から所定時間が経過していないナースコール子機１に対応する親機用報知部２３の動作や報知から所定時間が経過していても優先順位の低いナースコール子機１に対応する親機用報知部２３の動作は継続する。従って、医療従事者が呼び出しの報知を認識するための時間を確保することができ、医療従事者は、呼び出しを認識している患者からの呼び出しの報知のみを停止することができる。
【００６３】
また、前述した変形例では、親機用Ｉ／Ｆ部２２、親機用報知部２３、タイマー部２４、応答操作部２５は、ナースコール親機２’に備えられているが、これに限定されない。例えば、親機用Ｉ／Ｆ部２２、親機用報知部２３、タイマー部２４、応答操作部２５を医療従事者により携行されるハンディナースコール親機（例えば、ＰＨＳなど）に設けるようにしても良い。
【００６４】
また、前述した実施形態および変形例では、第一のナースコール子機１ａおよび第二のナースコール子機１ｂに対して同一の所定時間が使用されているが、これに限定されない。例えば、第一のナースコール子機１ａおよび第二のナースコール子機１ｂに対して個別の所定時間を使用するようにしても良い。
【００６５】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００６６】
１、１ａ、１ｂ    ナースコール子機
２、２’    ナースコール親機
３    廊下灯
４    制御部
５    インターフェース（Ｉ／Ｆ）部
６    報知部
７、２４    タイマー部
８    復旧操作部
２１    親機用制御部
２２    親機用インターフェース（Ｉ／Ｆ）部
２３    親機用報知部
２５    応答操作部
【図１】
2011005173.tif 000003
【図２】
2011005173.tif 000004
【図３】
2011005173.tif 000005
【図４】
2011005173.tif 000006